(57)【要約】【課題】犬などのペット４が洗浄作業の際に暴れにくいペット用洗浄台を提供する。【解決手段】Ｔ字状の断面を有する台３は、ペット４を腹ばいで載せる広さを有し前記Ｔ字状の上辺を構成する平面部５を有し、この平面部５には、左右対称に２対、ペット４が四脚を入れる孔７が形成される。これらの２対の孔７の組は、ペット４の大きさに合わせて複数組が形成される。台３は、浴槽１の中で底部の略中央に固定される。この浴槽１には水抜き孔及び栓１７が設けられ、浴槽１の底部は水抜き孔７へ向かって傾斜１９している。台３の固定は、浴槽１の中で底部の略中央に形成された固定突部１３に対し、交換可能に嵌合して行われている。【選択図】図1
2006158299.tif 000002
【特許請求の範囲】
【請求項１】
ペットを腹ばいで載せる広さを有し、左右対称に２対が形成されペットが四脚を入れる孔を有することを特徴とするペット用洗浄台。
【請求項２】
Ｔ字状の断面を有する台と、ペットを腹ばいで載せる広さを有し前記台の前記Ｔ字状の上辺を構成する平面部と、この平面部に左右対称に２対が形成されペットが四脚を入れる孔と、を有することを特徴とするペット用洗浄台。
【請求項３】
前記２対の孔は、ペットの大きさに合わせて複数組が形成され、前記台は、浴槽の中で底部の略中央に固定され、この浴槽の底部には水抜き孔及び栓が設けられ、前記浴槽の底部は前記水抜き孔へ向かって傾斜しており、前記固定は、浴槽の中で底部の略中央に形成された固定突部に対し交換可能に嵌合して行われていることを特徴とする請求項２に記載のペット用洗浄台。
【発明の詳細な説明】
【技術分野】
【０００１】
この発明は、ペットを載せて洗浄をするための台に関する。
【背景技術】
【０００２】
従来の犬などのペットを洗浄作業する機器等では、犬に恐怖感やストレスを与えるためか、そして何よりペットが水に濡れる事を嫌がるため、シャンプーなど洗浄をするときに、暴れたり、体を振るわせて水を飛ばしたりする。そうすると作業者一人では洗浄するには大変であり、二人以上で犬を強引に押さえてやらなければならない。
【０００３】
また、シャンプー後にドライヤーで乾燥する時も、犬などのペットは何度も体をブルブル振るので、やはり毛が飛び散し、これをできるだけ制止するために、ペットを叱りながら作業をしなければならない。このため、作業性が悪かった。
下記の特許文献１には、ネットの上に犬を乗せネットの網目から足を出させて、暴れるのを防ぎながらシャンプーなどを行う技術が開示される。
【特許文献１】特開2000-324974
【発明の開示】
【発明が解決しようとする課題】
【０００４】
しかしながら、特許文献１の技術によると、犬などを抱きかかえてネットへ載せる際に、犬などが適切でない位置の網目に間違って脚を入れる可能性が高く、４脚を適切な箇所に入れるには、とても苦労する。間違って、適切でない箇所に脚を入れると、犬は違和感を覚え、あるいは痛がり、暴れてしまい、脚をネットに絡めて余計に暴れてしまう可能性がある。
【０００５】
また、ネットを構成するロープなどの太さを大きくするには限界があり、このため、犬をネットで支えた状態で、細いロープなどが犬の脚の付け根に食い込み、犬は暴れてしまう可能性が高い。
この発明は、以上の問題点を解決するために、犬などのペットが洗浄作業の際に暴れにくいペット用洗浄台を提供することを目的とする。
【課題を解決するための手段】
【０００６】
以上の課題を解決するために、第一発明は、ペットを腹ばいで載せる広さを有し、左右対称に２対が形成されペットが四脚を入れる孔を有することを特徴とするペット用洗浄台である。
第二発明は、Ｔ字状の断面を有する台と、ペットを腹ばいで載せる広さを有し前記台の前記Ｔ字状の上辺を構成する平面部と、この平面部に左右対称に２対が形成されペットが四脚を入れる孔と、を有することを特徴とするペット用洗浄台である。
第三発明は、更に、前記２対の孔は、ペットの大きさに合わせて複数組が形成され、前記台は、浴槽の中で底部の略中央に固定され、この浴槽の底部には水抜き孔及び栓が設けられ、前記浴槽の底部は前記水抜き孔へ向かって傾斜しており、前記固定は、浴槽の中で底部の略中央に形成された固定突部に対し交換可能に嵌合して行われていることを特徴とする請求項２に記載のペット用洗浄台である。
【発明の効果】
【０００７】
第一、第二、又は第三発明に係るペット用洗浄台によれば、ネットに比べ、犬などのペットの脚が入る孔の数は少なくできるので、犬などを抱きかかえて載せる際に、犬などが適切でない位置の網目に間違って脚を入れる可能性は低く、容易に、４脚を適切な箇所に入れことができる。犬などは台の平面部によって広い面で支えられるので、ネットのように、細いロープなどが狭い面積で犬の体に食い込むことなどを避けられる。よって、犬が暴れる可能性を低くできる。
【０００８】
第三発明に係るペット用洗浄台によれば、更に、２対の孔は、ペットの大きさに合わせて複数組が形成され、体の大きさの異なるペットに対応できる。また、台は、浴槽の中で底部の略中央に固定され、よって周囲を洗浄水で汚さずに済み、洗浄作業が容易に行われる。更に、この浴槽には水抜き孔及び栓が設けられ、栓をすれば、お湯や水をペットの周囲に溜められ洗浄作業が容易になる。
【０００９】
また、浴槽の底部は前記水抜き孔へ向かって傾斜しており、排水が容易である。更に、台の固定は、浴槽の中で底部の略中央に形成された固定突部に対し交換可能に嵌合して行われ、よって、孔の大きさや間隔の異なる台に交換することができ、ペットの種類や大きさなどに幅広く対応できる。
【発明を実施するための最良の形態】
【００１０】
この発明の実施形態を、図１〜図３に示す。
浴槽１は、作業者が立って作業できるようにテーブルなどの上に置かれる。この浴槽１の中に台３が配置される。台３は、Ｔ字状の断面を有し、このＴ字状の上辺を構成する平面部５は、角が丸く加工された四
角の平面形状を有し、数センチの厚さを有する。そして、犬などのペット４を腹ばいで載せる広さを有する。この平面部５には、上から見て左右対称に２対が形成されペットが四脚を入れる孔７を有する。孔７の大きさや間隔は、ペット４に応じて設定される。入れられた脚９は、Ｔ字状の左右下の空間に垂らされる。
【００１１】
脚９を入れる２対の孔７は、ペット４の大きさに合わせて複数組が形成される。ペット４の体の中心が常に台３の中央に来るように、これらの複数組の孔７は、Ｘ状に放射状となる（図２（Ｂ）参照）。
【００１２】
台３は、浴槽１の中で底部の略中央に固定され、台３の周囲と浴槽１の縁の間には、浴槽１のお湯などを作業者が汲めるように、作業者の腕が入る隙間１１がある。台３の固定は、浴槽１の中で底部の略中央に形成され、先端が丸く加工された固定突部１３に対し、台３のＴ字状の下端に加工された凹部１５が嵌合して行われて、台３は交換可能になっている。
【００１３】
浴槽１の底部１８には水抜き孔１６及び栓１７が設けられ、この底部１８は前記水抜き孔７へ向かって低くなるように傾斜１９している。
傾斜１９した底部１８は肉厚に形成され、固定突部１３と一体的に成形され、浴槽１のオリジナルな底部２０に嵌合して取り付けられる。
【００１４】
「実施形態の効果」
この実施形態のペット用洗浄台によれば、ネットに比べ、犬などのペット４の脚９が入る孔７の数は少なくできる。また、ネットのように揺れ動かない。よって、作業員が犬などを抱きかかえて載せる際に、犬などが適切でない位置の網目に間違って脚９を入れる可能性は低いので、容易に、４脚を適切な箇所に入れことができる。
【００１５】
また、犬などは腹部を台３の平面部５によって広い面で支えられる。よって、ネットのように、細いロープなどが狭い面積で、犬の脚９の付け根など、犬の体に食い込むことを避けられる。よって、犬が暴れる可能性を低くできる。
また、犬の脚９を宙に浮かすことができ、これにより犬が暴れることが出来なくなり、犬をうまく保持した形になる。これにより、大人は無論、子供、お年寄りの方にも犬の洗浄が容易に出来る。
【００１６】
しかも、その保持のままの体制でドライヤーする事が出来、さらには、普段のブラッシング、ノミ取り、散髪も可能であり、これらのための移動も容易である。  更に、このペット用洗浄台によれば、２対の孔７は、ペット４の大きさに合わせて複数組が形成され、体の大きさの異なるペット４に対応できる。また、台３は、浴槽１の中で底部の略中央に固定され、よって周囲を洗浄水で汚さずに済み、洗浄作業が容易に行われる。
【００１７】
更に、この浴槽１には水抜き孔及び栓１７が設けられ、栓１７をすれば、お湯や水をペット４の周囲に溜められ、このお湯などを用いて洗浄作業が容易になる。
また、浴槽１の底部は水抜き孔７へ向かって傾斜１９しており、排水が容易である。
【００１８】
更に、台３の固定は、浴槽１の底部に設けられた固定突部１３の先端の丸い部分に対して、台３のＴ字状の下端に加工された凹部１５が嵌合して、容易に交換可能に嵌合して行われる。よって、孔７の大きさや間隔の異なる別の台３に交換することができ、ペット４の種類や大きさに幅広く対応できる。
【００１９】
傾斜１９した底部は肉厚に形成され、固定突起と一体的に成形され、ステンレス製の浴槽１のオリジナルな底部に嵌合して取り付けられるので、ステンレス製浴槽の製造は通常の製造方法で可能となり、装置の製造コストが高くなるのを抑えられる。
【００２０】
「他の実施形態」
以上の実施形態では、２対の孔７は、ペット４の大きさに合わせて複数組が形成されるものであったが、他の実施形態では、図３に示すように１組のみが形成されるものでもかまわない（図３（Ｃ）参照）。
【００２１】
以上の実施形態では、台３のＴ字状の脚部下端に加工された凹部１５の形状は、正面形状ではやや上方が小さいテーパー形状（図１参照）で、側面形状は、上下の大きさが同じ四角形であった（図２（Ａ）参照）が、他の実施形態では、正面形状でテーパー形状（図３（Ａ））とするだけでなく、側面形状も、上方が小さいテーパー形状（図３（Ｂ））とすることができる。これにより、固定突部１３との嵌合がより容易に行われる。
【００２２】
以上の実施形態では、台３は浴槽１の中で底部の略中央に固定されるものであったが、他の実施形態では、固定されず、あるいは浴槽１とは別に屋外の洗い場などで用いることも可能である。
以上の実施形態では、水抜き孔１６及び栓１７が設けられたが、他の実施形態では、水抜き孔１６だけを設けることも可能である。
以上の実施形態では、浴槽１の底部１８は傾斜１９していたが、他の実施形態では、平面であってもかまわない（図３参照）。
【００２３】
以上の実施形態では、台３の固定は、固定突部１３に対し交換可能に嵌合して行われていたが、他の実施形態では、あらかじめ浴槽１と一体に固定されていてもかまわない。
この発明で洗浄できるペット４は、犬猫に限らず、四脚で、台３の孔７に脚９を入れることができる生物であれば、本発明が実施できる。
以上の実施形態では、浴槽１はステンレス製としたが、他の実施形態ではプラスチック製とすることも可能である。
【図面の簡単な説明】
【００２４】
【図１】この発明の一実施形態を示すもので、（Ａ）は縦断正面図（Ｂ）は（Ａ）の要部拡大図である。
【図２】（Ａ）は図１（Ａ）の縦断側面図（Ｂ）は（Ａ）の平面図である。
【図３】この発明の他の実施形態を示すもので（Ａ）は図１（Ｂ）に対応する図（Ｂ）は（Ａ）の側面図（Ｃ）は（Ｂ）の平面図である。
【符号の説明】
【００２５】
１…浴槽、３…台、５…平面部、７…孔、９…脚、１１…隙間、１３…固定突部、１５…凹部、１７…栓、１９…傾斜。
【図１】
2006158299.tif 000003
【図２】
2006158299.tif 000004
【図３】
2006158299.tif 000005